(57)【要約】【課題】          紙箱の容易な組立や組立保持を行って、紙箱に商品を収納する際の収納作業の能率向上化と収納商品の品質の安定化を図る。【解決手段】      上部及び側面一方開放形の箱本体を構成する底板及び前後左右の四側壁と、前後側壁に折り曲げ自在に連結され箱本体の上面前半部及び後半部を閉鎖する前上蓋板及び後上蓋板と、前後上蓋板に折り曲げ自在に連結され閉蓋時に起立させて前後に重ね合わせる前後取手片と、左右側壁に折り曲げ自在に連結され起立状態の前後取手片の左右端部に係合させる左右係合片を設けた紙箱において、前後取手片の左右端部に外側開口部が奥部より狭くなる係合溝を設ける一方、左右係合片の上下中間部の折り目より下部に上下方向の係合孔を設け、左右係合片は折り目によって左右外側方に「く」の字状に折り曲げ、前後取手片の左右係合溝の開口端下縁部を係合孔に挿通させた状態で、起立状態の前後取手片の左右係合溝に嵌め込む。【選択図】        図９
2005170444.tif 000002
【特許請求の範囲】
【請求項１】
上部及び側面一方開放形の箱本体を構成する底板及び前後左右の四側壁と、前後側壁に折り曲げ自在に連結され箱本体の上面前半部及び後半部を閉鎖する前上蓋板及び後上蓋板と、前後上蓋板に折り曲げ自在に連結され閉蓋時に起立させて前後に重ね合わせる前後取手片と、左右側壁に折り曲げ自在に連結され起立状態の前後取手片の左右端部に係合させる左右係合片を設けた紙箱において、前後取手片の左右端部に外側開口部が奥部より狭くなる係合溝を設ける一方、左右係合片の上下中間部の折り目より下部に上下方向の係合孔を設け、左右係合片は折り目によって左右外側方に「く」の字状に折り曲げ、前後取手片の左右係合溝の開口端下縁部を係合孔に挿通させた状態で、起立状態の前後取手片の左右係合溝に嵌め込むことを特徴とする紙箱。
【請求項２】
前後取手片の係合溝の奥部を下端側程奥行きが大となる傾斜縁に形成させると共に、該傾斜縁下端に左右係合片の係合孔上部と係合する休止溝を形成させたことを特徴とする請求項１記載の紙箱。
【発明の詳細な説明】
【技術分野】
【０００１】
本発明は低温度に保つ必要のあるケーキなど保冷食品を収納する紙箱に関する。  
【背景技術】
【０００２】
低温度下で持ち運びする必要のあるケーキなど生菓子類を収納する紙箱にあっては、生菓子類の悪化を防ぐため、アイスパック（水や保冷剤をビニールシートで密封包装したパック状のものを凍らせたもの）やドライアイスなどの保冷体を生菓子類と一緒に紙箱に収納することは従来より一般に行われている。
【０００３】
そして保冷体を収納するためには簡単な紙箱の組立が行える必要があり、このような紙箱の１つに底面を閉鎖した四角筒状の箱本体を構成すると共に、箱本体の前側壁の上縁から連続して延びる前上蓋片を内側に直角に折り曲げることによって箱本体の開放上面前半部を閉鎖し、箱本体の後側壁の上縁から連続して延びる後上蓋片を内側に直角に折り曲げることによって箱本体の開放上面後半部を閉鎖し、前後上蓋片の先端から連続して延びる前後の取手片を閉蓋時に垂直に折り立てて重ね合わせることによって箱本体の閉鎖上面前後中央部に手提げ用の取手を垂直に起立形成できるようにした紙箱がある。
【０００４】
また箱本体の左右側壁の上縁から連続して延びる左右係合片を内側に傾斜状に折り曲げ、この左右係合片に形成された上下方向の係合孔に起立状態の前後取手片の左右端部を挿通させ、前後取手片の左右端部から所定寸法内側の上縁に形成された谷部に左右係合片を係合させることによって、箱本体の上面を閉保持し、かつ閉鎖上面前後中央部に手提げ用の取手を起立保持した状態に組み立てでき、さらに前記左右係合片の係合孔を略Ｕ字状の切り込みと、この切り込みの略中央から下向きに延設され左右側壁の上縁に至る直線状の切り込みとで形成し、この係合孔に起立状態の前後取手片の左右端部を挿通させたとき、係合孔の上部から舌片を外向きに切り起こし、この切り起こされた舌片の先端を前記谷部の外側縁に係合させることによって、左右係合片の左右外側への揺動を規制し、起立状態の前後取手片の左右端部から左右係合片が外れるのを規制する技術がある。（例えば特許文献１参照）
【０００５】
【特許文献１】特開２０００−２５５６６３号公報
【発明の開示】
【発明が解決しようとする課題】
【０００６】
しかし乍ら、上記のような取手付きの紙箱は、起立状態の前後取手片の左右端部に左右係合片が覆い被された形態となり、前後取手片（手提げ用の取手）にデザインを施すことが殆どできない。そのため、組み立て状態で最も目立つ紙箱上面の取手部の形態が定型化され固定化し、引いては組み立て状態の紙箱全体の形態及びイメージも定型化され固定化し、代わり映えのしないものになっていた。また起立状態の前後取手片の左右端部に覆い被された左右係合片の外側で舌片の先端を前記谷部の外側縁に係合させているため、持ち運びの際に他の物が舌片に接触し、前記谷部の外側縁に対する係合が解除され易く、この場合、係合孔が舌片の切り起こしによって長く、かつ大きく拡大されているため、左右係合片は容易に左右外側へ揺動して起立状態の前後取手片の左右端部から外れることになる等の不都合があった。
【課題を解決するための手段】
【０００７】
本発明は、上部及び側面一方開放形の箱本体を構成する底板及び前後左右の四側壁と、前後側壁に折り曲げ自在に連結され箱本体の上面前半部及び後半部を閉鎖する前上蓋板及び後上蓋板と、前後上蓋板に折り曲げ自在に連結され閉蓋時に起立させて前後に重ね合わせる前後取手片と、左右側壁に折り曲げ自在に連結され起立状態の前後取手片の左右端部に係合させる左右係合片を設けた紙箱において、前後取手片の左右端部に外側開口部が奥部より狭くなる係合溝を設ける一方、左右係合片の上下中間部の折り目より下部に上下方向の係合孔を設け、左右係合片は折り目によって左右外側方に「く」の字状に折り曲げ、前後取手片の左右係合溝の開口端下縁部を係合孔に挿通させた状態で、起立状態の前後取手片の左右係合溝に嵌め込むものである。
【０００８】
また、前後取手片の係合溝の奥部を下端側程奥行きが大となる傾斜縁に形成させると共に、該傾斜縁下端に左右係合片の係合孔上部と係合する休止溝を形成させたものである。
【発明の効果】
【０００９】
したがって本発明は、上部及び側面一方開放形の箱本体を構成する底板及び前後左右の四側壁と、前後側壁に折り曲げ自在に連結され箱本体の上面前半部及び後半部を閉鎖する前上蓋板及び後上蓋板と、前後上蓋板に折り曲げ自在に連結され閉蓋時に起立させて前後に重ね合わせる前後取手片と、左右側壁に折り曲げ自在に連結され起立状態の前後取手片の左右端部に係合させる左右係合片を設けた紙箱において、前後取手片の左右端部に外側開口部が奥部より狭くなる係合溝を設ける一方、左右係合片の上下中間部の折り目より下部に上下方向の係合孔を設け、左右係合片は折り目によって左右外側方に「く」の字状に折り曲げ、前後取手片の左右係合溝の開口端下縁部を係合孔に挿通させた状態で、起立状態の前後取手片の左右係合溝に嵌め込むことによって、前後取手片の左右端部に左右係合片を覆い被せることなく確実に係合させて、前後取手片の左右端部を箱本体の左右端部まで延設させ、その前後取手片を端から端までの略全幅を露呈させて、前後取手片に自由にデザインを施すことを可能とさせ、従来に比べて意匠性に優れた紙箱を提供すると共に、紙箱の堅牢な組立も容易とさせて店頭などで保冷体や商品を紙箱内に収納する作業などの能率向上化を図るものである。
【００１０】
また、前後取手片の係合溝の奥部を下端側程奥行きが大となる傾斜縁に形成させると共に、該傾斜縁下端に左右係合片の係合孔上部と係合する休止溝を形成させたことのよって、起立状態の前後取手片の左右係合溝に対する左右係合片の位置ズレを規制し、起立状態の前後取手片の左右端部と左右係合片の係合を一層確実なものとさせて、紙箱の良好な立設保持を図って、収納する商品の品質を安定保持させるものである。
【発明を実施するための最良の形態】
【００１１】
以下、本発明の実施例を図面に基づいて詳述する。図１は本発明に係る紙箱の組み立て状態を示す斜視図、図２は同紙箱の開放状態を示す斜視図、図３は同紙箱の展開状態を示す平面図、図４は同紙箱の半折り畳み状態を示す平面図、図５は同紙箱の折り畳み状態を示す平面図であり、本実施例の紙箱１は一枚の紙箱用台紙１Ａからなる。該台紙１Ａは、図３に示すように、長方形又は正方形の底板２と、底板２の前後側縁に折り目３・４を介して連結する前後側壁５・６と、底板２の左右側縁に折り目７・８を介して連結する左右接合片９・１０と、後側壁６の左右側縁に折り目１１・１２を介して連結する左右側壁１３・１４と、左右側壁１３・１４の左及び右側縁に折り目１５・１６を介して連結する左右接合片１７・１８と、左右側壁１３・１４の上縁に折り目１９・２０を介し連結する左右係合片２１・２２と、前後側壁５・６に折り目２３・２４を介し連結する前後上蓋板２５・２６と、前後上蓋板２５・２６の先端に折り目２７・２８及び略Ｕ形状の切り目２９・３０を介し連結する前後取手片３１・３２とを備えている。
【００１２】
上記の台紙１Ａは、所定箇所に両面接着テープを貼り付ける或いは接着剤を塗布し、所定の折り目に沿って順次折り畳むことによって、図４に示すような半組み立て状態より図５に示すような折り畳み状態の紙箱１Ｂに形成されるもので、左右接合片９・１０を折り目７・８を介して底板２の上面側に折り畳むと共に、左右側壁１３・１４と左右接合片１７・１８と左右係合片２１・２２とを折り目１１・１２を介して後側壁６の上面側に折り畳む。
【００１３】
また、前記左右側壁１３・１４には後側縁(折り目１１・１２）と下縁とで形成する後下角部と、前側縁(折り目１５・１６）と上縁の左右係合片２１・２２とで形成する前上角部とを結ぶ傾斜状の折り目３３・３４を形成させるもので、折り目１１・１２よりの左右側壁１３・１４の折り畳み後、各折り目３３・３４より前側の左右側壁１３・１４の前側壁部１３ａ・１４ａと左右接合片１７・１８を折り目３３・３４を介して折り目３３・３４より後側の左右側壁１３・１４の後側壁部１３ｂ・１４ｂの上面側に折り畳んで、図４に示す如き縦長な長方形状の半折り畳み紙箱を形成させる。
【００１４】
そして、このように折り畳んだ左右接合片９・１０の上面或いは左右側壁１３・１４の前側壁部１３ａ・１４ａの何れか一方に両面接着テープ３５を貼り付け或いは接着剤を塗布して、図５に示す如く折り目４を介し、折り目４より前側部に後側部を折り畳んで紙箱１Ｂを形成するとき、左右接合片９・１０と左右側壁１３・１４の前側壁部１３ａ・１４ａとを接着させて、図２に示す如き左右側壁１３・１４の起立時には左右接合片９・１０も起立させて、上面及び前面側を開放した半組立て状態の紙箱１Ｃを形成させる。
【００１５】
そして前後取手片３１・３２の左右端部と左右係合片２１・２２との係合によって紙箱１の組立状態を保持させるもので、以下前後取手片３１・３２の左右端部と左右係合片２１・２２との係合構造について説明すると、図６乃至図１０にも示すように、前後取手片３１・３２の左右端部には、左右外側方に一端を開口し、かつ開口部が奥部より狭くなる略Ｃ形の左右係合溝３６・３７を設ける一方、左右係合片２１・２２には、この下縁の折り目１９・２０と平行な折り目３８・３９が上下中間部に設けられ、折り目３８・３９より上側の左右係合片上部２１ａ・２２ａを折り目３８・３９より下側の三角形左右係合片下部２１ｂ・２２ｂより小形な舌状に形成し、左右係合片下部２１ｂ・２２ｂの上縁中央部に折り目３８・３９を介して左右係合片上部２１ａ・２２ａを折り曲げ自在に連結し、左右係合片下部２１ｂ・２２ｂの中央部には、この上部から下縁（折り目１９・２０）に達する係合孔４０・４１を上下方向に設けている。
【００１６】
また、前記係合溝３６・３７の奥部は下端側程奥行きが大となる傾斜縁３６ａ・３７ａに形成して、係合溝３６・３７に左右係合片上部２１ａ・２２ａを嵌め込めるとき、傾斜縁３６ａ・３７ａに上部２１ａ・２２ａを添わせる状態に「く」の字状に折り曲げると共に、傾斜縁３６ａ・３７ａ下端に左右係合片２１・２２の係合孔４０・４１上部と係合する係止溝３６ｂ・３７ｂを形成させて、係止溝３６・３７に嵌め込む左右係合片２１・２２の離脱を防止するように設けている。
【００１７】
さらに、閉蓋時に起立状態の前後取手片３１・３２に対してこの左右外側に直角に起立している左右係合片２１・２２を外側から内側に指で押しながら、左右側壁１３・１４の上縁中央部から折り目１９・２０を介して内側に折り曲げて行くことによって、左右係合片下部２１ｂ・２２ｂは、係合孔４０・４１に前後取手片３１・３２の左右係合溝３６・３７の開口端下縁部となるフック状の突起部４２・４３を挿通させながら、左右側壁１３・１４の上縁中央部から折り１９・２０を介して内側に折り曲げられ、起立状態の前後取手片３１・３２の左右係合溝３６・３７内に嵌め込まれる。
【００１８】
一方、左右係合片上部２１ａ・２２ａは、この内面が起立状態の前後取手片３１・３２の左右係合溝３６・３７より上側の左右側端縁に当接し、前記左右係合片下部２１ｂ・２２ｂの上縁から折り目２８・２９を介して外向きに折り曲げられ、下部が上部より奥側に先行し、かつ起立状態の前後取手片３１・３２の左右係合溝３６・３７の上縁に先端中央部が下方から当接する状態で、起立状態の前後取手片３１・３２の左右係合溝３６・３７内に嵌め込まれる。
【００１９】
上記のようにして、左右係合片２１・２２は、この上下中間部に設けられた折り目３８・３９によって左右外側方に開く「く」の字状に折り曲げられ、かつ前後取手片３１・３２の左右係合溝３６・３７の開口端下縁部となるフック状の突起部４２・４３を左右係合片下部２１ｂ・２２ｂの係合孔４０・４１に挿通させた状態で、起立状態の前後取手片３１・３２の左右係合溝３６・３７に嵌め込まれ、左右係合片上部２１ａ・２２ａが左右係合片下部２１ｂ・２２ｂの左右外側への自由揺動を規制する役目を果たし、前後取手片３１・３２の突起部４２・４３を左右係合片下部２１ｂ・２２ｂの係合孔４０・４１に挿通保持し、前後取手片３１・３２の左右端部に左右係合片２１・２２を係合保持させるようにしている。これによって、前後取手片３１・３２の左右端部に左右係合片２１・２２を覆い被せることなく係合させ得るから、前後取手片３１・３２の左右端部を箱本体１Ｄの左右端部まで延設させ、かつその前後取手片３１・３２を端から端まで露呈させることができ、前後取手片３１・３２に自由にデザインを施すことができる。
【００２０】
また、左右係合片２１・２２全体が前後取手片３１・３２の左右端部に設けられた左右外側方に一端を開口する左右係合溝３６・３７内に嵌め込まれて、前後取手片３１・３２の左右端部と左右係合片２１・２２を係合保持させることによって、この係合時に左右係合片２１・２２を起立状態の前後取手片３１・３２で包囲するようになるから、持ち運びの際に他の物が左右係合片２１・２２に直接接触しにくく、かつ左右係合片下部２１ｂ・２２ｂの係合孔４０・４１も前後取手片３１・３２の左右係合溝３６・３７の開口端下縁部４２・４３を挿通させるだけの大きさに形成しているため、起立状態の前後取手片３１・３２の左右端部と左右係合片２１・２２の係合状態を確実に保持できる。  
【００２１】
なお、この左右接合片９・１０の後端部上縁には係止爪部４４・４５が張り出し形成され、この左右係止爪部４４・４５を、後側壁６の左右側縁の折り目１１・１２上に形成された係合用の左右切り込み４６・４７に挿し込み、左右接合片９・１０の内側への揺動を規制することによって、半組み立て状態の紙箱１Ｃの三側壁（後側壁６，左右側壁１３・１４）を起立保持するように設けている。
【００２２】
ところで、不織布・レーヨンなど形成する４角形のシート部材４８の３辺外側端部４８ａを前側壁５と前上蓋板２５との内面に接着固定させ残り１辺の外側端部４８ｂを非接着とさせるもので、前上蓋板２５の切り目２９及び左右側縁の内側と前側壁５の上端側壁部にシート部材４８を接着させ、前側壁５の略中央で折り目２３より下側に非接着の開放部４９を形成させ、前上蓋板２５とシート部材４８の中央部間に非接着の保冷体５０などの収納スペース５１を形成させて、開放部４９を収納スペース５５に対する保冷体５０などの出し入れ口に設けて、上蓋板２５の内面側に保冷体５０などを収納保持させる。
【００２３】
また、開放部４９を形成する前側壁５とシート部材４８の外側端部は左右側縁より中央方向に接着端部４８ｃを延出させて、前側壁５に対するシート部材４８の開放部４９の接着強度を向上させてシート部材４８が剥がれることのない確実な接着固定を図ると共に、保冷体５０の収納スペース５１への収納時には接着端部４８ｃによって保冷体５０の自然飛び出しなど困難とさせた保冷体５０の良好な収納保持を図る。
【００２４】
そして、図８にも示す如く、収納スペース５１に対する保冷体５０の収納保持中にあっては、上蓋板５に対し略直角状に折り畳まれた前側壁５で開放部４９が塞がれた状態となって、収納スペース５１からの保冷体５０の抜出しが阻止され、別途の規制手段など設けることなく保冷体５０の確実な収納保持を図ることができる。
【００２５】
さらに、保冷体５０を収納するシート部材４８に不織布を用いることによって、シート部材４８の表面に結露を発生させ、生菓子などの収納食品に水を滴下させて商品価値を低下させるなどの不都合の防止が図れる。
【００２６】
また、シート部材４８で形成する収納スペース５１には保冷体５０以外にもローソク・ティッシュペーパー・合成樹脂製ケーキカッタなど各種必要商品の収納を可能とさせるものである。
【００２７】
上記実施例から明らかなように、上部及び側面一方開放形の箱本体を構成する底板２及び前後左右の四側壁５・６・１３・１４と、前側壁５に折り曲げ自在に連結され箱本体の上面前半部及び後半部を閉鎖する前上蓋板２５及び後上蓋板２６と、前後上蓋板２５・２６に折り曲げ自在に連結され閉蓋時に起立させて前後に重ね合わせる前後取手片３１・３２と、左右側壁１３・１４に折り曲げ自在に連結され起立状態の前後取手片３１・３２の左右端部に係合させる左右係合片２１・２２を設けた紙箱において、前後取手片３１・３２の左右端部に外側開口部が奥部より狭くなる係合溝３６・３７を設ける一方、左右係合片２１・２２の上下中間部の折り目３８・３９より下部２１ｂ・２２ｂに上下方向の係合孔４０・４１を設け、左右係合片２１・２２は折り目３８・３９によって左右外側方に「く」の字状に折り曲げ、前後取手片３１・３２の左右係合溝３６・３７の開口端下縁部となるフック状の突起部４２・４３を係合孔４０・４１に挿通させた状態で、起立状態の前後取手片３１・３２の左右係合溝３６・３７に嵌め込むもので、前後取手片３１・３２の左右端部に左右係合片２１・２２を覆い被せることなく確実に係合させて、前後取手片３１・３２の左右端部を箱本体の左右端部まで延設させ、その前後取手片３１・３２を端から端までの略全幅を露呈させることができ、前後取手片３１・３２に自由にデザインを施すことができ、従来に比べて意匠性に優れた紙箱を提供することができると共に、紙箱１の堅牢な組立の容易とさせて店頭などで保冷体５０などを収納する作業などの能率向上化を図ることができる。
【００２８】
また、前後取手片３１・３２の係合溝３６・３７の奥部を下端側程奥行きが大となる傾斜縁３６ａ・３７ａに形成させると共に、該傾斜縁３６ａ・３７ａ下端に左右係合片２１・２２の係合孔４０・４１上部と係合する休止溝３６ｂ・３７ｂを形成させたもので、起立状態の前後取手片３１・３２の左右係合溝３６・３７に対する左右係合片２１・２２の位置ズレを規制し、起立状態の前後取手片３１・３２の左右端部と左右係合片２１・２２の係合を一層確実なものとさせて、紙箱の良好な立設保持を図って、収納する商品の品質を安定保持させることができる。
【図面の簡単な説明】
【００２９】
【図１】紙箱の組み立て状態を示す斜視図。
【図２】紙箱の上面開放状態を示す斜視図。
【図３】紙箱の展開状態を示す平面図。
【図４】紙箱の半折り畳み状態を示す平面図。
【図５】紙箱の折り畳み状態を示す平面図。
【図６】紙箱の断面説明図。
【図７】紙箱の開放状態を示す断面図。
【図８】取手部の説明図。
【図９】係合片の係合関係を示す正面説明図。
【図１０】係合片の係合関係を示す側面説明図。
【符号の説明】
【００３０】
２                  底板
５・６・１３・１４  側壁
２１・２２          係合片
２１ｂ・２２ｂ      下部
２５・２６          上蓋板
３１・３２          取手片
３６・３７          係合溝
３６ａ・３７ａ      傾斜縁
３６ｂ・３７ｂ      係止溝
３８・３９          折り目
４０・４１          係合孔
４２・４３          突起部  
【図１】
2005170444.tif 000003
【図２】
2005170444.tif 000004
【図３】
2005170444.tif 000005
【図４】
2005170444.tif 000006
【図５】
2005170444.tif 000007
【図６】
2005170444.tif 000008
【図７】
2005170444.tif 000009
【図８】
2005170444.tif 000010
【図９】
2005170444.tif 000011
【図１０】
2005170444.tif 000012